(57)【要約】【課題】ワイヤロープの通過抵抗を大幅に低減することができ、６角形に近似した断面形状のワイヤロープのまわりからのグリスの洩れ出しを防止することができ、多数の位置にグリス供給する場合でも塗布量を均一化でき、防錆をより完全にしてワイヤロープの寿命を延ばすことができるワイヤロープのグリス塗布装置を提供する。【解決手段】ワイヤロープ１を通す中空貫通穴を有し、ワイヤロープのまわりにグリスを塗布するための複数の塗布アダプタ１０と、塗布アダプタにグリスを供給するグリス供給装置２０とを備える。塗布アダプタ１０は、ワイヤロープを軸線上に支持する軸受リング１２と、軸受リングの軸方向外側に位置しワイヤロープのまわりをシールするブラシシール１４とを有する。グリス供給装置２０は、複数の塗布アダプタに適量のグリスを計量分配する分配弁２２を有する。【選択図】      図４
2004238762.tif 000002
【特許請求の範囲】
【請求項１】
ワイヤロープ（１）を通す中空貫通穴を有し、ワイヤロープのまわりにグリスを塗布するための複数の塗布アダプタ（１０）と、該塗布アダプタにグリスを供給するグリス供給装置（２０）とを備え、
塗布アダプタ（１０）は、ワイヤロープを軸線上に支持する軸受リング（１２）と、該軸受リングの軸方向外側に位置しワイヤロープのまわりをシールするブラシシール（１４）とを有する、ことを特徴とするワイヤロープのグリス塗布装置。
【請求項２】
前記グリス供給装置（２０）は、複数の塗布アダプタに適量のグリスを計量分配する分配弁（２２）を有する、ことを特徴とする請求項１に記載のワイヤロープのグリス塗布装置。
【請求項３】
前記ワイヤロープ（１）は、６角形に近似した断面形状を有し、
前記軸受リング（１２）は、ワイヤロープの最大径部にゆるく接する円筒形内面（１２ａ）を有し、
前記ブラシシール（１４）は、ワイヤロープの最小径部に強く接するブラシ内端（１４ａ）を有する、ことを特徴とする請求項１又は２に記載のワイヤロープのグリス塗布装置。
【請求項４】
前記塗布アダプタ（１０）に対向して取り付けられこれを水平又は垂直に支持する複数対の引張バネ（２２）と、塗布アダプタ（１０）を通過するワイヤロープを所定の方向に案内する案内プーリ（２４）とを備える、ことを特徴とする請求項１又は２に記載のワイヤロープのグリス塗布装置。
【発明の詳細な説明】
【０００１】
【発明の属する技術分野】
本発明は、ワイヤロープのまわりにグリスを塗布するグリス塗布装置に関する。
【０００２】
【従来の技術】
ワイヤロープは、細い素線を寄り合わせた複数（例えば６本）のワイヤ線をさらに互いに寄り合わせたものであり、図５に示すように、通常６角形に近似した断面形状を有している。
【０００３】
かかるワイヤロープをクレーンやガスタンクの吊り天井等に用いる場合、ワイヤロープを構成する素線の錆や劣化を防止するため定期的な潤滑が必要となる。そのため、従来は、ブラシ、ハケ、布きれ、等を使用して手作業でワイヤロープの表面にグリスを塗布していた。しかし、手作業によるグリス塗布は、危険であり非能率的であるばかりでなく、防錆が不完全でありワイヤロープの寿命が短くなる等の問題点があった。
【０００４】
この問題点を解決するために、ワイヤロープ潤滑装置が、非特許文献１に開示されている。
【０００５】
【非特許文献１】
カタログ、ワイヤロープ潤滑装置  ”ＭＡＳＴＯ  ＬＵＢＲＩＣＡＴＯＲ”、  製造元ＭＡＳＴＯ  ＷＩＲＥ  ＳＥＲＶＩＣＥ（  ＮＯＲＷＡＹ）、輸入発売元株式会社オール商会
【０００６】
非特許文献１のワイヤロープ潤滑装置は、中空円筒形の塗布管２を有し、図６に示すように、ワイヤロープ１を塗布管２の中空穴に通して通過させ、そのまわりにグリスを塗布する。塗布管２は、その中空穴にグリスを供給するためのグリス供給口２ａを有し、このグリス供給口２ａにグリス高圧ポンプ３からグリスホース４を介してグリスを圧送する。塗布管２の中空貫通穴の両端部には、円筒形のラバーシール（図示せず）がそれぞれ設けられる。このラバーシールは、ワイヤロープ１のまわりからグリスが洩れ出さないように、内径がワイヤロープの外径より小さくできており、ワイヤロープ１に強く嵌合して、内部に加圧されたグリスを保持できるようになっている。
【０００７】
また、この例において、塗布管２は２本のチェーン５で吊り下げられ、ワイヤロープ１をウィンチ等である方向に強く牽引すると、その動きに応じて塗布管２が移動し、ワイヤロープ１に無理な力が作用しないようになっている。
【０００８】
【発明が解決しようとする課題】
しかし上述した非特許文献１のワイヤロープ潤滑装置は、以下の問題点があった。
（１）ワイヤロープ１のまわりからグリスが洩れ出さないように、ラバーシールの内径がワイヤロープの外径より小さくできており、ワイヤロープ１に強く嵌合している。そのため、ワイヤロープ１の通過抵抗が非常に大きく、ウィンチ等で強く牽引しないかぎりワイヤロープ１を通過させることができない。
（２）ワイヤロープの通過抵抗を低減するために、ラバーシールの内径を大きくすると、図５に示した通常６角形に近似した断面形状のワイヤロープと円形のラバーシール内径との間に隙間ができ、グリスの洩れを防ぐことができない。
（３）図６に示したように、グリスの供給はグリス高圧ポンプ３でできるが、その供給量は目視による判断にすぎない。そのため特に多数の位置にグリス供給する場合、塗布量が不均一となり、防錆が不完全となりワイヤロープの寿命が短くなるおそれがある。
【０００９】
本発明はかかる問題点を解決するために創案されたものである。すなわち、本発明の目的は、（１）ワイヤロープの通過抵抗を大幅に低減することができ、（２）６角形に近似した断面形状のワイヤロープのまわりからのグリスの洩れ出しを防止することができ、（３）多数の位置にグリス供給する場合でも塗布量を均一化でき、防錆をより完全にしてワイヤロープの寿命を延ばすことができるワイヤロープのグリス塗布装置を提供することにある。
【００１０】
【課題を解決するための手段】
本発明によれば、ワイヤロープ（１）を通す中空貫通穴を有し、ワイヤロープのまわりにグリスを塗布するための複数の塗布アダプタ（１０）と、該塗布アダプタにグリスを供給するグリス供給装置（２０）とを備え、
塗布アダプタ（１０）は、ワイヤロープを軸線上に支持する軸受リング（１２）と、該軸受リングの軸方向外側に位置しワイヤロープのまわりをシールするブラシシール（１４）とを有する、ことを特徴とするワイヤロープのグリス塗布装置が提供される。
本発明の好ましい実施形態によれば、グリス供給装置（２０）は、複数の塗布アダプタに適量のグリスを計量分配する分配弁（２２）を有する。
【００１１】
上記本発明の構成によれば、塗布アダプタ（１０）の軸受リング（１２）により、ワイヤロープ（１）を中空貫通穴の軸線上に支持するので、ワイヤロープ（１）を正確に軸線上に位置決めすることができる。
また、ブラシシール（１４）が軸受リングの軸方向外側に位置し、ワイヤロープのまわりをシールするので、ブラシの内端が曲がるだけでシール性を維持できる。従って、ワイヤロープ１に強く嵌合する従来のラバーシールに比較して、ワイヤロープの通過抵抗を大幅に低減することができ、かつ６角形に近似した断面形状のワイヤロープのまわりからのグリスの洩れ出しを防止することができる。
さらに、グリス供給装置（２０）の分配弁（２２）により、複数の塗布アダプタに適量のグリスを計量分配することができるので、多数の位置にグリス供給する場合でも塗布量を均一化でき、防錆をより完全にしてワイヤロープの寿命を延ばすことができる。
【００１２】
また本発明の好ましい実施形態によれば、前記ワイヤロープ（１）は、６角形に近似した断面形状を有し、
前記軸受リング（１２）は、ワイヤロープの最大径部にゆるく接する円筒形内面（１２ａ）を有し、
前記ブラシシール（１４）は、ワイヤロープの最小径部に強く接するブラシ内端（１４ａ）を有する。
【００１３】
この構成により、軸受リング（１２）の円筒形内面（１２ａ）がワイヤロープの最大径部にゆるく接して、ワイヤロープ（１）を中空貫通穴の軸線上に正確に位置決めし、かつ小さい摺動抵抗で通過可能に支持することができる。
また、ブラシシール（１４）のブラシ内端（１４ａ）が、ワイヤロープの最小径部に強く接するので、ブラシの内端が曲がることで、６角形に近似した断面形状のワイヤロープの外周面全体にブラシ内端（１４ａ）が常時接し、シール性を維持したままワイヤロープのまわりにグリスを塗布することができる。
【００１４】
また、前記塗布アダプタ（１０）に対向して取り付けられこれを水平又は垂直に支持する複数対の引張バネ（２２）と、塗布アダプタ（１０）を通過するワイヤロープを所定の方向に案内する案内プーリ（２４）とを備える。
【００１５】
この構成により、案内プーリ（２４）により塗布アダプタ（１０）を通過するワイヤロープを所定の方向に案内することができる。また、塗布アダプタ（１０）に対向して取り付けられた複数対の引張バネ（２２）で塗布アダプタを水平又は垂直に支持するので、塗布アダプタを最適位置に弾性的に保持することができ、かつ引張バネ（２２）の伸び量で塗布アダプタに作用する摺動抵抗の大きさを判断でき、摺動抵抗の異常を早期に判断することができる。
【００１６】
【発明の実施の形態】
以下、本発明の好ましい実施形態を図面を参照して説明する。なお、各図において、共通する部分には同一の符号を付し、重複した説明を省略する。
【００１７】
図１は、本発明によるグリス塗布装置を備えたガスホルダの模式図である。このガスホルダの吊り天井６は、複数のワイヤロープ１で昇降可能に吊り下げられている。各ワイヤロープ１は、天井部に固定された複数のプーリ７ａ，７ｂを介してカウンタウエイト８に連結されている。カウンタウエイト８の重量は、吊り天井６とほぼ同一に設定されており、ガスホルダ内のガス量の増減により、吊り天井６が昇降するようになっている。
【００１８】
本発明の装置を構成する複数の塗布アダプタ１０は、プーリ７ａ，７ｂに近接した位置に、水平及び／又は垂直に設けられる。塗布アダプタ１０は、ワイヤロープ１を通す中空貫通穴を有し、吊り天井６の昇降に伴いプーリ７ａ，７ｂを通過して水平及び／又は垂直に移動するワイヤロープ１のまわりにグリスを塗布するようになっている。
【００１９】
図２は、本発明によるグリス供給装置の全体系統図である。本発明のグリス塗布装置は、複数の塗布アダプタ１０にグリスを供給するグリス供給装置２０を備える。
グリス供給装置２０は、この図に示すように、グリスを圧送するグリスボンプユニット２１と、複数の塗布アダプタ１０に適量のグリスを計量分配する分配弁２２と、これらを連結する配管類からなり、分配弁２２により、複数の塗布アダプタ１０に適量のグリスを計量分配するようになっている。
【００２０】
図３は、本発明による塗布アダプタの取付図である。この例において、本発明の装置は、複数対の引張バネ２２と案内プーリ２４を更に備える。
【００２１】
複数対（この例では２対）の引張バネ２２は、塗布アダプタ１０に対向して取り付けられ、塗布アダプタ１０を水平又は垂直に支持し、塗布アダプタ１０を最適位置（対向するバネの中間位置）に弾性的に保持する。
また案内プーリ２４、塗布アダプタ１０を通過するワイヤロープ１を所定の方向（例えば水平又は垂直）に案内する。
【００２２】
この構成により、塗布アダプタ１０に対向して取り付けられた複数対の引張バネ２２で塗布アダプタ１０を水平又は垂直に支持するので、塗布アダプタ１０を最適位置に弾性的に保持することができ、かつ引張バネ２２の伸び量で塗布アダプタに作用する摺動抵抗の大きさを判断でき、摺動抵抗の異常を早期に判断するできるようになっている。
【００２３】
図４は、本発明による塗布アダプタの本体断面図である。この図に示すように、塗布アダプタ１０は、本体１１、軸受リング１２、グリスリング１３、及びブラシシール１４を備える。
【００２４】
ワイヤロープ１は、図５に例示したように、６角形に近似した断面形状を有する。また、このワイヤロープは、細い素線を寄り合わせた複数（例えば６本）のワイヤ線をさらに互いに寄り合わせたものである。
従って、ワイヤロープ１の外形は、最大径部と最小径部とを有し、その間の隙間（ほぼＶ型）が軸方向に捩じれている。
【００２５】
本体１１は、中空円筒形の金属部材であり、軸方向に２分割可能な２つの胴部１１ａからなる。２つの胴部１１ａは、分割した状態でワイヤロープ１とその他の構成部品１２、１３、１４を内部に組み込み、図示しない締結部材（例えばボルト等）により一体化するようになっている。
本体１１の軸方向中心部には、内面と外面を連通する貫通穴１１ｂが設けられ、この貫通穴１１ｂを通してグリス供給装置２０から圧送されたグリスを中空円筒形の内面に供給するようになっている。
【００２６】
軸受リング１２は、グリスリング１３を軸方向に挟んで、この例では２つ設けられる。また軸受リング１２は、ワイヤロープ１の最大径部にゆるく接する円筒形内面１２ａと、本体１１に設けられた円筒形の凹部に嵌合する円筒形外面１２ｂとを有し、その軸心が本体１１と一致する。
軸受リング１２は、ワイヤロープ１を低い抵抗で案内できるように、摩擦係数の小さい材料（例えば、テフロン（登録商標）樹脂、ナイロン、プラスチック）からなる。
この構成により、塗布アダプタ１０の軸受リング１２により、ワイヤロープ１を正確に軸線上に位置決めして支持し、低抵抗で通過できるように案内できる。
【００２７】
グリスリング１３は、本体１１の中心位置に２つの軸受リング１２に軸方向に挟持されて位置する。グリスリング１３は、中空円筒形であり、その内面はワイヤロープ１の最大径部より大きく、その間にグリスを溜めることができるようになっている。また、外面には、円周方向に延びる円周溝１３ａを有し、貫通穴１１ｂから供給されたグリスを円周方向に分配する。さらに円周溝の底面と内面を連通する貫通穴１３ｂが設けられ、この穴を通して外面から内面にグリスを供給するようになっている。
この構成により、グリス供給装置２０から圧送されたグリスを、本体１１の貫通穴１１ｂ、グリスリング１３の円周溝１３ａ、貫通穴１３ｂを通してグリスリング１３の内面に圧送し、ワイヤロープ１のまわりにグリスを溜め、グリスの粘着性（又は付着力）によりワイヤロープ１の外表面にグリスを塗布することができる。
【００２８】
ブラシシール１４は、この例では、軸受リング１２の軸方向外側に位置し、それぞれ２つ（合計４つ）設けられる。ブラシシール１４の外端は円板１５ａであり、本体１１に設けられた円筒形の凹部に嵌合し、軸方向に移動しないようになっている。
またブラシシール１４は、円板１５ａに外端が固定され内方に延びる多数の線状部材１５ｂを有する。多数の線状部材１５ｂは、その間からグリスが洩れ出ないように互いに密に配置されている。また、線状部材１５ｂのブラシ内端１４ａは、ワイヤロープ１の最小径部に強く接するように、内径が小さく設定されている。
【００２９】
この構成により、ブラシシール１４のブラシ内端１４ａが、ワイヤロープの最小径部に強く接するので、ブラシの内端が曲がることで、６角形に近似した断面形状のワイヤロープの外周面全体にブラシ内端１４ａが常時接し、シール性を維持したままワイヤロープのまわりにグリスを塗布することができる。
【００３０】
上述した、軸受リング１２及びグリスリング１３は、軸方向に２分割されている。また、ブラシシール１４は、外面と内面を結ぶスリットを有する。これらの構成により、それぞれの中心にワイヤロープを容易に通すことができる。
【００３１】
上述した本発明の構成によれば、塗布アダプタ１０の軸受リング１２により、ワイヤロープ１を正確に軸線上に位置決めして支持し、低抵抗で通過できるように案内できる。また、ブラシシール１４が軸受リングの軸方向外側に位置し、ワイヤロープ１のまわりをシールするので、ブラシの内端が曲がるだけでシール性を維持できる。従って、ワイヤロープ１に強く嵌合する従来のラバーシールに比較して、ワイヤロープの通過抵抗を大幅に低減することができ、かつ６角形に近似した断面形状のワイヤロープのまわりからのグリスの洩れ出しを防止することができる。
さらに、グリス供給装置２０の分配弁２２により、複数の塗布アダプタに適量のグリスを計量分配することができるので、多数の位置にグリス供給する場合でも塗布量を均一化でき、防錆をより完全にしてワイヤロープの寿命を延ばすことができる。
【００３２】
なお、本発明は上述した実施の態様に限定されず、本発明の要旨を逸脱しない範囲で種々変更できることは勿論である。例えば、上述した例では、ガスホルダの吊り天井に用いているが、本発明はこれに限定されず、クレーン、その他のワイヤロープの錆や劣化を防止する用途に同様に用いることができる。
【００３３】
【発明の効果】
上述したように、本発明のワイヤロープのグリス塗布装置は、ワイヤロープの通過抵抗を大幅に低減することができ、６角形に近似した断面形状のワイヤロープのまわりからのグリスの洩れ出しを防止することができ、多数の位置にグリス供給する場合でも塗布量を均一化でき、防錆をより完全にしてワイヤロープの寿命を延ばすことができる、等の優れた効果を有する。
【図面の簡単な説明】
【図１】本発明によるグリス塗布装置を備えたガスホルダの模式図である。
【図２】本発明によるグリス供給装置の全体系統図である。
【図３】本発明による塗布アダプタの取付図である。
【図４】本発明による塗布アダプタの本体断面図である。
【図５】ワイヤロープの断面図である。
【図６】従来のワイヤロープ潤滑装置の模式図である。
【符号の説明】
１  ワイヤロープ、２  塗布管、２ａ  グリス供給口、
３  グリス高圧ポンプ、４  グリスホース、５  チェーン、
６  吊り天井、７ａ，７ｂ  プーリ、８  カウンタウエイト、
１０  塗布アダプタ、１１  本体、１１ａ  胴部、１１ｂ  貫通穴、
１２  軸受リング、１２ａ  円筒形内面、１２ｂ  円筒形外面、
１３  グリスリング、１３ａ  円周溝、１３ｂ  貫通穴、
１４  ブラシシール、１４ａ  ブラシ内端、
１５ａ  円板、１５ｂ  線状部材、
２０  グリス供給装置、２２  分配弁、
２２  引張バネ、２４  案内プーリ
【図１】
2004238762.tif 000003
【図２】
2004238762.tif 000004
【図３】
2004238762.tif 000005
【図４】
2004238762.tif 000006
【図５】
2004238762.tif 000007
【図６】
2004238762.tif 000008